(57)【要約】【課題】導電片同士の結合力を高めることができる光源モジュール等を提供する。【解決手段】光源モジュールは、離間する２個の導電片１２を１組の配線路１３として１組以上備える配線体１１と、１組以上の配線路１３を構成する２個の導電片１２に跨るように実装された１個又は複数個のＬＥＤ１５と、配線体１１を構成する複数個の導電片１２を補強する絶縁性の補強体１７とを備え、補強体１７はＬＥＤ１５が実装される面に補強部２２を有し、補強部２２は、第１延伸部分２３１と第２延伸部分２３２と第３延伸部分２３３と有し、ＬＥＤ１５は、第１延伸部分２３１と第２延伸部分２３２と第３延伸部分２３３とで囲まれた閉領域の外部に実装されている。【選択図】図７
2019053879.tif 000002
【特許請求の範囲】
【請求項１】
離間する２個の導電片を１組の配線路として１組以上備える配線体と、
前記１組以上の配線路を構成する前記２個の導電片に跨るように実装された１個又は複数個の光源素子と、
前記配線体を構成する複数個の導電片を補強する絶縁性の補強体と
を備え、
前記補強体は前記光源素子が実装される面に補強部を有し、
当該補強部は、
前記配線体の第１仮想線上に位置する１個以上の前記導電片からなる第１導電片群の主面に形成され且つ前記第１仮想線に沿って延伸する第１延伸部分と、
前記配線体の第２仮想線上に位置する１個以上の前記導電片からなる第２導電片群の主面に形成され且つ前記第２仮想線に沿って延伸する第２延伸部分と、
前記配線体の前記第１延伸部分と前記第２延伸部分との間に配されている前記導電片の主面に形成され且つ前記第１仮想線と前記第２仮想線とに交差する第３仮想線に沿って延伸する第３延伸部分と
を有し、
前記光源素子は、前記第１延伸部分と前記第２延伸部分と前記第３延伸部分とで囲まれた閉領域の外部に実装されている
光源モジュール。
【請求項２】
前記補強体は、前記離間する２個の導電片間の隙間の少なくとも一部を絶縁性の充填体で埋める介在補強部を有する
請求項１に記載の光源モジュール。
【請求項３】
前記配線体は、前記閉領域内であって、隣接する導電片間に貫通部を有する
請求項１又は２に記載の光源モジュール。
【請求項４】
前記第１仮想線と前記第２仮想線とが平行であり、
前記第３仮想線は、前記第１仮想線と前記第２仮想線とに直交する
請求項１〜３の何れか１項に記載の光源モジュール。
【請求項５】
光源素子を備える光源モジュールと、
前記光源モジュールを表面に搭載する器具本体と
を備え、
前記光源モジュールが請求項１〜４の何れか１項に記載の光源モジュールである
照明装置。
【発明の詳細な説明】
【技術分野】
【０００１】
本発明は、離間する複数個の導電片を配線路として備える光源モジュール及び照明装置に関する。
【背景技術】
【０００２】
近年、光源である発光素子を備える光源モジュールとして、隣接する２つの導電片を１組として、複数組の導電片に跨るように複数個の発光素子を実装したものが提案されている（例えば特許文献１）。
【先行技術文献】
【特許文献】
【０００３】
【特許文献１】国際公開第２０１７／１１５８６２号公報
【発明の概要】
【発明が解決しようとする課題】
【０００４】
しかしながら、特許文献１に記載の光源モジュールでは、発光素子の実装による導電片同士の結合が弱く、光源モジュールの形態を維持できない場合がある。
本発明は、導電片同士の結合力を高めることができる光源モジュール及び当該光源モジュールを備える照明装置を提供することを目的とする。
【課題を解決するための手段】
【０００５】
本発明に係る光源モジュールは、離間する２個の導電片を１組の配線路として１組以上備える配線体と、前記１組以上の配線路を構成する前記２個の導電片に跨るように実装された１個又は複数個の光源素子と、前記配線体を構成する複数個の導電片を補強する絶縁性の補強体とを備え、前記補強体は前記光源素子が実装される面に補強部を有し、当該補強部は、前記配線体の第１仮想線上に位置する１個以上の前記導電片からなる第１導電片群の主面に形成され且つ前記第１仮想線に沿って延伸する第１延伸部分と、前記配線体の第２仮想線上に位置する１個以上の前記導電片からなる第２導電片群の主面に形成され且つ前記第２仮想線に沿って延伸する第２延伸部分と、前記配線体の前記第１延伸部分と前記第２延伸部分との間に配されている前記導電片の主面に形成され且つ前記第１仮想線と前記第２仮想線とに交差する第３仮想線に沿って延伸する第３延伸部分とを有し、前記光源素子は、前記第１延伸部分と前記第２延伸部分と前記第３延伸部分とで囲まれた閉領域の外部に実装されている。
本発明に係る照明装置は、光源素子を備える光源モジュールと、前記光源モジュールを表面に搭載する器具本体とを備え、前記光源モジュールが上記記載の光源モジュールである。
【発明の効果】
【０００６】
上述の構成によれば、複数個の導電片同士が補強体により補強されるため、光源モジュールの形態が維持される。
【図面の簡単な説明】
【０００７】
【図１】実施形態に係る照明装置の斜視図であり、（ａ）は表側から見た図であり、（ｂ）は裏側から見た図である。
【図２】照明装置の分解状態を表側から見た斜視図である。
【図３】照明装置の分解状態を裏側から見た斜視図である。
【図４】（ａ）は透光性カバーを取り外した状態を表側から見た図であり、（ｂ）はさらに保護カバーを取り外した状態を表側から見た図である。
【図５】（ａ）は照明装置を裏側から見た図であり、（ｂ）は透光性カバーを取り外した状態を裏側から見た図である。
【図６】光源モジュールを表側から見た図である。
【図７】（ａ）は配線体を表側から見た斜視図であり、（ｂ）は配線体を裏側から見た斜視図である。
【図８】配線体から補強体を取り除いた状態を表側から見た図である。
【図９】器具本体の斜視図であり、（ａ）は表側から見た図であり、（ｂ）は裏側から見た図である。
【図１０】配線体の器具本体への取付状態を説明するための図であり、配線体を切り欠いている。
【図１１】電源ユニットの分解状態を表側から見た斜視図である。
【図１２】電源ユニットの分解状態を裏側から見た斜視図である。
【図１３】保護カバーを裏側から見た斜視図であり、保護カバーを切り欠いている。
【図１４】配線体と保護カバーとの当接状態を説明するための図であり、配線体及び保護カバーを切り欠いている。
【図１５】配線体の器具本体への取付状態を示す断面図である。
【図１６】保護カバー、配線体、器具本体、電源ユニットの結合状態を示す断面図である。
【図１７】保護カバー、配線体、器具本体、電源ユニット、透光性カバーの結合状態を示す断面図である。
【図１８】透光性カバーの分解状態の断面を示す斜視図である。
【図１９】保護カバーへの透光性カバーの取付状態を示す断面図である。
【発明を実施するための形態】
【０００８】
＜概要＞
実施形態の一態様に係る光源モジュールは、離間する２個の導電片を１組の配線路として１組以上備える配線体と、前記１組以上の配線路を構成する前記２個の導電片に跨るように実装された１個又は複数個の光源素子と、前記配線体を構成する複数個の導電片を補強する絶縁性の補強体とを備え、前記補強体は前記光源素子が実装される面に補強部を有し、当該補強部は、前記配線体の第１仮想線上に位置する１個以上の前記導電片からなる第１導電片群の主面に形成され且つ前記第１仮想線に沿って延伸する第１延伸部分と、前記配線体の第２仮想線上に位置する１個以上の前記導電片からなる第２導電片群の主面に形成され且つ前記第２仮想線に沿って延伸する第２延伸部分と、前記配線体の前記第１延伸部分と前記第２延伸部分との間に配されている前記導電片の主面に形成され且つ前記第１仮想線と前記第２仮想線とに交差する第３仮想線に沿って延伸する第３延伸部分とを有し、前記光源素子は、前記第１延伸部分と前記第２延伸部分と前記第３延伸部分とで囲まれた閉領域の外部に実装されている。
実施形態の別態様に係る光源モジュールにおいて、前記補強体は、前記離間する２個の導電片間の隙間の少なくとも一部を絶縁性の充填体で埋める介在補強部を有する。これにより、光源モジュールを厚くすることなく補強できる。
実施形態の別態様に係る光源モジュールにおいて、前記配線体は、前記閉領域内であって、隣接する導電片間に貫通部を有する。これにより、軽量化を図ることができる。
実施形態の別態様に係る光源モジュールにおいて、前記第１仮想線と前記第２仮想線とが平行であり、前記第３仮想線は、前記第１仮想線と前記第２仮想線とに直交する。これにより、均等に補強できる。
【０００９】
＜実施形態＞
実施形態では、天井等の被取付面に取付部材を介して取り外し可能に取り付けられる照明装置の一例として、取付部材である引掛刃を備えるシーリングライトについて説明する。
【００１０】
１．全体
概要
主に図１〜図３を用いて説明する。
照明装置Ａは、少なくとも、光源モジュール１（図１には現れていない）及び器具本体３を備える。なお、光源モジュール１は器具本体３に搭載される。
シーリングライトである照明装置Ａは、光源モジュール１に電力を供給する電源ユニット５と、光源モジュール１を覆う透光性カバー７とを備える。ここでの照明装置Ａは、図２及び図３に示すように、光源モジュール１と透光性カバー７との間で光源モジュール１を保護する保護カバー９を備える。
ここで、被取付面に取り付けられる照明装置Ａにおいて、被取付面側を裏側とし、被取付面と反対側を表側とする。
以下、各部について説明する。
【００１１】
２．各部構成
（１）光源モジュール
光源モジュール１は、図２及び図３に示すように、中央に開口１ａを有する環状をしている。ここでは円環状をしている。
光源モジュール１は、図６及び図７に示すように、１個又は複数個の配線体１１と、配線体１１に配された複数個の光源としてのＬＥＤ素子（以下、単に「ＬＥＤ」とする）１５と、配線体１１を補強する補強体１７とを備える。
ここでの配線体１１は３個あり、符号「１１Ａ」、「１１Ｂ」、「１１Ｃ」で示す。なお、配線体を区別する必要のない場合は符号「１１」とする。
ここでのＬＥＤ１５は調色可能とするため発光色が異なる２種類ある。一方は昼白色であり、そのＬＥＤの符号を「１５ｄ」とし、他方は電球色であり、そのＬＥＤの符号を「１５ｌ」とする。なお、区別する必要がない場合は、符号「１５」を用いる。
【００１２】
（１−１）配線体
（１−１−１）全体
配線体１１Ａ，１１Ｂ，１１Ｃは、図６に示すように、３個で円環状を構成する。ここでは、３個の配線体１１Ａ，１１Ｂ，１１Ｃは、すべて同じ形状をし、円環を周方向に３等分した幅のある円弧状をしている。換言すると、１つの配線体１１を表側から見ると、扇形状における直線の交点部分が当該扇形状と相似形状の扇形状に切り取られたような形状をしている。この配線体１１の形状を１／３円環形状とする。なお、（円）環形状がｎ個の配線体により構成される場合、この配線体の形状は１／ｎ（円）環形状とする。また、１／３円環形状の配線体１１において、その周方向の中央であって径方向に延伸する仮想線を「Ｘ１」とする。
ここで、電源ユニット５と接続される配線体の符号を「１１Ａ」とし、光源モジュール１を表側から見たときに、配線体１１Ａに対して、時計回り側に位置する配線体の符号を「１１Ｂ」とし、半時計回り側に位置する配線体の符号を「１１Ｃ」とする。
各配線体１１は、図８に示すように、外周縁に面する導電片１２であって仮想線Ｘ１の両側に位置する導電片１２Ａ，１２Ｂに貫通孔１２Ａａ，１２Ｂａを有している。配線体１１Ａの貫通孔１２Ａａ，１２Ｂａは、電源ユニット５の受信部５５５及び常夜灯部５５６用（図１１参照）である。
【００１３】
（１−１−２）配線路
配線体１１Ａ，１１Ｂ，１１Ｃ内の配線路は基本的に同じであるため、配線体１１を例として説明する。
配線体１１はＬＥＤ１５を所望の接続形態で電気的に接続する。つまり、図６に示すように、配線体１１は、複数個の導電片１２を離間する状態で有し、離間する２個の導電片１２を１組の配線路として複数組備える。配線路１３は、離間する導電片１２にＬＥＤ１５が跨るように実装されることで構成される。配線路１３は、電球色ＬＥＤ１５ｌ用の電球色配線路１３ｌと、昼白色ＬＥＤ１５ｄ用の昼白色配線路１３ｄとを有する。１／３円環形状の配線体１１は仮想線Ｘ１を基準として配線路１３が略線対称になるように、設けられている。
【００１４】
ここで、図６及び図７に示すように、配線体１１において、表側から見たときの仮想線Ｘ１に対して、時計回り側に位置する領域を第１領域１１１とし、反時計回り側に位置する領域を第２領域１１２とする。なお、第１領域１１１及び第２領域１１２は表側から見ると１／６円環状をしている。
３つの配線体１１Ａ，１１Ｂ，１１Ｃ中の電流は、例えば、図６において、配線体１１Ａの第１領域１１１の配線路１３、配線体１１Ｂの第２領域１１２の配線路１３、配線体１１Ｂの第１領域１１１の配線路１３、配線体１１Ｃの第２領域１１２の配線路１３、配線体１１Ｃの第１領域１１１の配線路１３、配線体１１Ａの第２領域１１２の配線路１３へと流れる。つまり、表側から見たときに時計回りに位置する配線体１１の順で流れる。
【００１５】
各配線体１１は、図７及び図８に示すように、接続部１４を有している。接続部１４は、各配線体１１の径方向に延伸する端縁に面する導電片１２であって内周縁側に位置する導電片１２に設けられている。なお、接続部１４は、周方向に隣接する配線体１１の電球色配線路１３ｌ同士を接続する電球色用の接続部１４ｌと、周方向に隣接する配線体１１の昼白色配線路１３ｄ同士を接続する昼白色用の接続部１４ｄとの２種類ある。
【００１６】
第１領域１１１内の配線路１３は、図７の（ｂ）に示すように、第１領域１１１内を径方向に多段状に存在する円弧状部１１４〜１１８を、径方向の一方側（例えば外側）に位置する円弧状部１１８から、径方向の他方側（例えば内側）に位置する円弧状部１１４に段々と移動するように、設けられている。
換言すると、第１領域１１１内の配線路１３は、径を変えながら周方向に沿って延伸するように設けられている。つまり、配線路１３は、周方向を進行方向とし、その進行方向の向きを周方向の両端で変えながら内周縁又は外周縁に向かってジグザグ状に延伸するように設けられている。
【００１７】
第２領域１１２内の配線路１３は、図７の（ｂ）に示すように、第２領域１１２内を径方向に多段状に存在する円弧状部１１４〜１１８を、径方向の他方側（例えば内側）に位置する円弧状部１１４から、径方向の一方側（例えば外側）に位置する円弧状部１１８に段々と移動するように、設けられている。
換言すると、第２領域１１２内の配線路１３は、径を変えながら周方向に沿って延伸するように設けられている。つまり、配線路１３は、周方向を進行方向とし、その進行方向の向きを周方向の両端で変えながら内周縁又は外周縁に向かってジグザグ状に延伸するように設けられている。
【００１８】
配線路１３を構成する昼白色配線路１３ｄと電球色配線路１３ｌは一対のペアとなって所定方向に向かって延伸する。
【００１９】
（１−１−３）導電片
主に図８を用いて説明する。
配線体１１は複数個の金属製（錫メッキ鋼板等）の導電片１２により構成される。これにより、配線体１１の放熱特性が向上し、ＬＥＤ１５の温度上を抑制でき、結果的にＬＥＤ１５の効率を向上できる。また、配線体１１の放熱性が向上するため、例えば器具本体を金属製にする必要性がなくなる。
配線体１１中の複数個の導電片１２は、複数個のジグゾーパズル片のように、１／３円環形状を複数個に分解したような形状を有している。複数個の導電片１２は、電球色配線路１３ｌを構成する電球色導電片１２ｌと、昼白色配線路１３ｄを構成する昼白色導電片１２ｄとを備える。
ここでの導電片１２におけるＬＥＤ１５を実装する側の面には、実装部分を除いて導電片１２に反射膜が形成されている。ここでの反射膜は白色の樹脂により構成されている。これにより、ＬＥＤ１５から発せられた光を反射させて有効に利用できる。
【００２０】
電球色導電片１２ｌと昼白色導電片１２ｄとは互いに並行して帯体を構成し、この帯体が第１領域１１１及び第２領域１１２を埋めるように、配されている。換言すると、電球色導電片１２ｌと昼白色導電片１２ｄとがペアとなって帯体を構成し、この帯体が第１領域１１１及び第２領域１１２を周方向の両端で折り曲げられている。なお、ここでは４回折り曲げられている。
１／６円環形状の第１領域１１１及び第２領域１１２は５個の円弧状部（上記帯体に相当する）を有している。各円弧状部１１４〜１１８は径方向の寸法（幅）は略同じである。
なお、最外周の円弧状部１１８では電球色導電片１２ｌが外周側に配され、円弧状部１１８の内周側の円弧状部１１７では昼白色導電片１２ｄが外周側に配され、各円弧状部１１４〜１１８において外周側に位置する導電片１２が電球色導電片１２ｌと昼白色導電片１２ｄとで交互に交代する。
【００２１】
各円弧状部１１４〜１１８内の昼白色導電片１２ｄと電球色導電片１２ｌは、第１領域１１１及び第２領域１１２の周方向の両端部を除いて、周方向に延びる周部１２１と、周部１２１における仮想線Ｘ１に近い中央側の端部から各円弧状部１１４〜１１８の径方向の内側又は外側に張り出す中央側張出部１２２と、周部１２１における仮想線Ｘ１から遠い側の端部から各円弧状部１１４〜１１８の径方向の内側又は外側に張り出す端側張出部１２３とを有する。これにより、円弧状（ここでの周部に相当する）の導電片と比較して、周縁を長くでき、後述の介在補強部２１により補強を強めることができる。
【００２２】
周方向に隣接する昼白色導電片１２ｄは、仮想線Ｘ１から遠い側の昼白色導電片１２ｄの中央側張出部１２２と仮想線Ｘ１に近い側の昼白色導電片１２ｄの端側張出部１２３とが隣接（対向）するように、配されている。隣接する中央側張出部１２２と端側張出部１２３とに跨るように昼白色ＬＥＤ１５ｄが実装されている。中央側張出部１２２と端側張出部１２３とにおける昼白色ＬＥＤ１５ｄを実装する部分の端縁は、ＬＥＤ１５が配列する第１方向と平行になっている。ここでの第１方向は仮想線Ｘ１と略平行である。これにより、１つの配線体１１に配される昼白色ＬＥＤ１５ｄの実装向きを一定にできる。なお、実装向きを一定にすることで、昼白色ＬＥＤ１５ｄの実装の自動化を簡単な制御で行うことができる。
【００２３】
周方向に隣接する電球色導電片１２ｌは、仮想線Ｘ１から遠い側の電球色導電片１２ｌの中央側張出部１２２と仮想線Ｘ１に近い側の電球色導電片１２ｌの端側張出部１２３とが隣接（対向）するように、配されている。隣接する中央側張出部１６５と端側張出部１２３とに跨るように電球色ＬＥＤ１５ｌが実装されている。中央側張出部１２２と端側張出部１２３とにおける電球色ＬＥＤ１５ｌを実装する部分の端縁は、第１方向と略平行になっている。
これにより、１つの配線体１１に配される電球色ＬＥＤ１５ｌの実装向きを一定にできる。なお、実装向きを一定にすることで、電球色ＬＥＤ１５ｌの実装の自動化を簡単な制御で行うことができる。
【００２４】
上述のように、１つの配線体１１に配される電球色ＬＥＤ１５ｌと昼白色ＬＥＤ１５ｄの実装向きが同じ第１方向（仮想線Ｘ１と平行な方向）であり、２種類のＬＥＤ１５を実装するにも拘わらず、簡単な制御で自動化できる。
【００２５】
各円弧状部１１４〜１１８内であって周方向の両端部を除く昼白色導電片１２ｄと電球色導電片１２ｌとにおいて、各円弧状部１１４〜１１８における径方向の一方側（例えば内周側）に位置し且つ周方向に隣接する電球色導電片１２ｌの中央側張出部１２２と端側張出部１２３は、径方向の他方側（例えば外周側）に位置する昼白色導電片１２ｄの中央側張出部１２２と端側張出部１２３との間の凹みに嵌る。
これにより、各導電片１２の径方向の寸法が大きいにも拘わらず、電球色導電片１２ｌと昼白色導電片１２ｄとを組み合わせた各円弧状部１１４〜１１８の径方向の寸法を小さくできる。
周部１２１、中央側張出部１２２及び端側張出部１２３を有する「Ｕ」字をする一方の導電片１２の張出部分を他方の導電片１２の凹み部分に配することで、各導電片１２ｄ，１２ｌに対して周方向の反対向きの負荷が作用した際にもズレ難くできる。
【００２６】
径方向に隣接する２つの円弧状部の端部に位置する導電片１２について、図８に示す導電片１２Ｉ，１２Ｊ，１２Ｋを用いて説明する。なお、導電片１２Ｉ，１２Ｊ，１２Ｋは、円弧状部１１８と円弧状部１１７に含まれる（図７の（ｂ）参照）が、径方向に隣接する他の円弧状部の端部に位置する導電片についても同様のことが言える。
端部に位置する導電片１２Ｉは、径方向に隣接する外周側の円弧状部１１８の導電片１２Ｊと、径方向に隣接する内周側の円弧状部１１７の導電片１２Ｋとに隣接する。
ここで、導電片１２Ｊは、円弧状部１１８における周方向の対象の端部から周方向に１番目の導電片であり、円弧状部１１８の外周側に位置する。導電片１２Ｋは、円弧状部１１７における周方向の対象の端部から周方向に１番目の導電片であり、円弧状部１１７の内周側に位置する。
換言すると、径方向に隣接する２つの円弧状部１１７，１１８の端部に位置する導電片１２Ｉは、隣接する２つの円弧状部１１７，１１８において、外周側に位置する導電片であって周方向の対象の端部手前に位置する導電片１２Ｊと、内周側に位置する導電片であって周方向の対象の端部手前に位置する導電片１２Ｋとに隣接する。
【００２７】
導電片１２Ｉは、径方向に延びる径部１２４と、径部１２４における外周縁側の端部から円弧状部１１８の周方向の内側に張り出す外張出部１２５と、径部１２４における内周縁側の端部から円弧状部１１７の周方向の内側に張り出す内張出部１２６とを有する。
これを電球色導電片１２ｌ及び昼白色導電片１２ｄについて説明する。
径方向に隣接する２つの円弧状部１１４〜１１８の周方向の端部で跨る電球色導電片１２ｌ及び昼白色導電片１２ｄは、径方向に延びる径部１２４と、径部１２４における外周縁側の端部から各円弧状部１１４〜１１８の周方向の内側に張り出す外張出部１２５と、径部１２４における内周縁側の端部から各円弧状部１１４〜１１８の周方向の内側に張り出す内張出部１２６とを有する。これにより、矩形状（ここでの径部に相当する）の導電片と比較して、周縁を長くでき、後述の介在補強部２１により補強を強めることができる。
なお、場所によっては、端部に位置する導電片は、上記構成における径部１２４における径方向の途中で切断されて、２つの導電片を構成していることもある。
【００２８】
径部１２４は、１／３円環形状の配線体１１における径方向の周縁の一部を周縁に有している。
外張出部１２５は、周方向の外周側で隣接する他の導電片１２の端側張出部１２３と対向する部分を有する。この対向する部分と、周方向に隣接する導電片の端側張出部１２３とに跨るようにＬＥＤ１５が実装されている。外張出部１２５と端側張出部１２３とにおけるＬＥＤ１５を実装する部分の端縁は、ＬＥＤ１５が配列する第１方向と平行となっている。
内張出部１２６は、周方向の内周側で隣接する他の導電片１２の端側張出部１２３と対向する部分を有する。この対向する部分と、周方向に隣接する導電片の端側張出部１２３とに跨るようにＬＥＤ１５が実装されている。外張出部１２５と端側張出部１２３とにおけるＬＥＤ１５を実装する部分の端縁は、ＬＥＤ１５が配列する第１方向と平行となっている。
これにより、１つの配線体１１に配されるＬＥＤ１５の実装向きを一定にできる。
【００２９】
径方向に隣接する２つの円弧状部の端部の１つ内側に位置する導電片１２について、図８に示す導電片１２Ｌ，１２Ｍ，１２Ｎを用いて説明する。なお、導電片１２Ｌ，１２Ｍ，１２Ｎは、円弧状部１１８と円弧状部１１７に含まれるが、径方向に隣接する他の円弧状部の端部に位置する導電片についても同様のことが言える。
端部の内側に位置する導電片１２Ｌは、径方向に隣接する外周側の円弧状部１１８の導電片１２Ｍと、径方向に隣接する内周側の円弧状部１１７の導電片１２Ｎとに隣接する。
【００３０】
ここで、導電片１２Ｍは、円弧状部１１８における周方向の対象の端部内側から周方向に１番目の導電片であり、円弧状部１１８の内周側に位置する。導電片１２Ｎは、円弧状部１１７における周方向の対象の端部内側から周方向に１番目の導電片であり、円弧状部１１７の外周側に位置する。
換言すると、径方向に隣接する２つの円弧状部１１７，１１８の端部内側に位置する導電片１２Ｌは、隣接する２つの円弧状部１１７，１１８において、互いに対向し合う側における外周側に位置する導電片であって周方向の対象の端部内側の手前に位置する導電片１２Ｍと、互いに対向し合う側における内周側に位置する導電片であって周方向の対象の端部内側手前に位置する導電片１２Ｎとに隣接する。
【００３１】
導電片１２Ｌは、第１方向に延び且つ仮想線Ｘ１から離れた位置の端側延伸部１２７と、第１方向に延び且つ仮想線Ｘ１に近い位置の中央側延伸部１２８と、端側延伸部１２７と中央側延伸部１２８とを連結する連結部１２９とを有する。
これを電球色導電片１２ｌ及び昼白色導電片１２ｄについて説明する。
径方向に隣接する２つの円弧状部１１４〜１１８の周方向の端部内側で跨る電球色導電片１２ｌ及び昼白色導電片１２ｄは、第１方向に延び且つ仮想線Ｘ１から離れた位置の端側延伸部１２７と、第１方向に延び且つ仮想線Ｘ１に近い位置の中央側延伸部１２８と、端側延伸部１２７と中央側延伸部１２８とを連結する連結部１２９とを有する。これにより、矩形状の導電片と比較して、周縁を長くでき、後述の介在補強部２１により補強を強めることができる。
【００３２】
端側延伸部１２７は、周方向の外周側で隣接する他の導電片１２の端側張出部１２３と対向する部分を有する。この対向する部分と、周方向に隣接する導電片の端側張出部１２３とに跨るようにＬＥＤ１５が実装されている。端側延伸部１２７と端側張出部１２３とにおけるＬＥＤ１５を実装する部分の端縁は、ＬＥＤ１５が配列する第１方向と平行となっている。
中央側延伸部１２８は、周方向の内周側で隣接する他の導電片１２の端側張出部１２３と対向する部分を有する。この対向する部分と、周方向に隣接する導電片の端側張出部１２３とに跨るようにＬＥＤ１５が実装されている。中央側延伸部１２８と端側張出部１２３とにおけるＬＥＤ１５を実装する部分の端縁は、ＬＥＤ１５が配列する第１方向と平行となっている。
これにより、１つの配線体１１に配されるＬＥＤの実装向きを一定にできる。
【００３３】
周方向の端部内側に位置する導電片１２Ｏと、当該導電片１２ＯにＬＥＤ１５を介して接続される導電片１２Ｐ，１２Ｑとは、周方向の端部に位置する導電片１２Ｉにおける外張出部１２５と内張出部１２６との間に配される。
これにより、各導電片１２に対して導電片１２が移動する方向の負荷が作用した際にもズレ難くできる。
【００３４】
（１−１−４）接続
各配線体１１は、上述のように、同じ構成をしている。換言すると、各配線体の導電片は、各配線体１１の同じ部位では同じ形状をしている。このように同じ構成の配線体１１を使用することで、低コスト化をはかることができる。
以下、接続について説明する。
各配線体１１は、図８に示すように、導電片１２Ａ〜１２Ｅにおいて図外のジャンパ線で所定の導電片同士を接続することで、配線体１１Ａとして機能したり、配線体１１Ｂ，１１Ｃとして機能したりする。
【００３５】
配線体１１Ａは、図６に示すように、導電片１２Ｃに電源ユニット５と接続する入力端子部１６ｉを、導電片１２Ｂに電源ユニット５と接続する電球色用の出力端子部１６ｏを、導電片１２Ｄに電源ユニット５と接続する昼白色用の出力端子部１６ｏをそれぞれ備える。なお、入力端子部１６ｉは配線体１１Ａへの入力（＋）用であり、２つの出力端子部１６ｏは配線体１１Ａから電源ユニット５への出力（−）用である。
配線体１１Ａにおいて、導電片１２Ｃと導電片１２Ｅは図外のジャンパ線により接続されて昼白色配線路１３ｄの一部が構成される。
配線体１１Ｂ及び配線体１１Ｃにおいて、導電片Ｂと導電片Ｅとが図外のジャンパ線により接続されて昼白色配線路１３ｄの一部が構成され、導電片１２Ｄと導電片１２Ｃとが図外のジャンパ線により接続されて電球色配線路１３ｌの一部が構成される。
各配線体１１において、図７に示すように、最内周に位置する円弧状部１１４に存在する各配線路１３ｄ，１３ｌの両端の導電片１２ｄ，１２ｌに接続部１４ｄ，１４ｌを有し、周方向に接続する他の配線体１１の接続部１４ｄ，１４ｌに図外のジャンパ線により接続され、昼白色配線路１３ｄと電球色配線路１３ｌの一部が構成される。
【００３６】
上記のジャンパ線による接続により、昼白色配線路１３ｄと電球色配線路１３ｌが完成する。
昼白色配線路１３ｄは、配線体１１Ａの導電片１２Ｃから始まり、導電片１２Ｅを経由して、配線体１１Ｂ、配線体１１Ｃを通り、配線体１１Ａの導電片１２Ｂで終了する。電球色配線路１３ｌは、配線体１１Ａの導電片１２Ｃから始まり、配線体１１Ｂ、配線体１１Ｃを通り、配線体１１Ａの導電片１２Ｄで終了する。
なお、ここでは、ジャンパ線を利用しているが、他の接続子を利用してもよい。
【００３７】
（１−１−５）電源ユニット
配線体１１は、電源ユニット５と接続する入力端子部１６ｉと出力端子部１６ｏを搭載可能な導電片１２Ｂ，１２Ｄ，１２Ｃと、導電片１２Ｂに対してＬＥＤ１５ｌを介して接続される電球色配線路１３ｌに含まれる導電片１２Ｉと、導電片１２Ｄに対してＬＥＤ１５ｄを介して接続される昼白色配線路１３ｄに含まれる導電片１２Ｊと、導電片１２Ｃに対してＬＥＤ１５ｄを介して接続される昼白色配線路１３ｄに含まれる導電片１２Ｆと、電球色配線路１３ｌに含まれる導電片１２Ａと、導電片１２Ａに対してＬＥＤ１５ｌを介して接続される導電片１２Ｅとを含み、導電片１２Ｅが導電片１２Ｃと導電片１２Ｂとに接続可能な位置に配されている。
導電片１２Ｅが導電片１２Ｂと接続されると、当該導電片１２Ｅを含む配線体は配線体１１Ｂ，１１Ｃとして機能する。導電片１２Ｅが導電片１２Ｃと接続されると、当該導電片１２Ｅを含む配線体は配線体１１Ａとして機能する。
導電片１２Ｅは導電片１２Ａ，１２Ｃ，１２Ｂと隣接するように配され、導電片１２Ｄは導電片１２Ｃと隣接するように配されている。
【００３８】
（１−２）ＬＥＤ
ＬＥＤ１５は、上述のとおり、電球色を発する電球色ＬＥＤ１５ｌと、昼白色を発する昼白色ＬＥＤ１５ｄとの２種類がある（図６〜図８参照）。これにより、照明装置Ａは調色可能となる。
複数個のＬＥＤ１５は、図６に示すように、各配線体１１Ａ，１１Ｂ，１１Ｃにおいて、第１方向に間隔をおいて昼白色ＬＥＤ１５ｄと電球色ＬＥＤ１５ｌとが交互に位置するように配されている。なお、第１方向は仮想線Ｘ１と平行な方向である。
複数個のＬＥＤ１５は、図７に示すように、各円弧状部１１４〜１１８において、各円弧状部１１４〜１１８の周方向に延伸する中心線上（又はその近傍）であって周方向に間隔をおいて昼白色ＬＥＤ１５ｄと電球色ＬＥＤ１５ｌとが交互に位置するように配されている。
【００３９】
（１−３）補強体
主に図７を用いて説明する。
補強体１７は、離間して配されている複数個の導電片１２の間に設けられた介在補強部２１を有している。補強体１７は、配線体１１における表面に設けられた表側補強部２２を有している。補強体１７は、配線体１１における裏面に設けられた裏側補強部２３を有している。
介在補強部２１、表側補強部２２及び裏側補強部２３は絶縁性材料に構成されている。これにより、隣接する導電片１２同士の絶縁性は確保される。
ここでは、絶縁性の樹脂とガラス粒子とから構成されている。なお、絶縁性の樹脂として難燃性Ｖ−０のガラス入りナイロンが利用されている。ガラス粒子を用いることで、難燃性を向上させることができる。
【００４０】
（１−３−１）介在補強部
介在補強部２１は、配線体１１を構成する離間する複数個の導電片１２の間に配されている。これにより、隣接する導電片１２の端面同士が結合され、複数個の導電片１２が離間（分解）するのを防止できる。なお、介在補強部２１は絶縁性材料により構成されており、隣接する導電片１２間の絶縁性を確保している。
【００４１】
（１−３−２）表側補強部
主に図７の（ａ）を用いて説明する。
表側補強部２２は介在補強部２１と連結するように設けられている。
表側補強部２２は、配線体１１の第１表仮想線上に位置する１個以上の導電片１２からなる第１導電片群の表面に形成され且つ第１表仮想線に沿って延伸する第１表延伸部分２２１を有している。ここでの第１表仮想線は、昼白色ＬＥＤ１５ｄと電球色ＬＥＤ１５ｌとが交互に配されている方向と平行である。つまり、第１表仮想線は仮想線Ｘ１と平行な方向な線である。なお、第１表仮想線は第１方向とも平行な線である。
表側補強部２２は、配線体１１の第２表仮想線上に位置する１個以上の導電片１２からなる第２導電片群の表面に形成され且つ第２表仮想線に沿って延伸する第２表延伸部分２２２を有している。ここでの第２表仮想線は、昼白色ＬＥＤ１５ｄと電球色ＬＥＤ１５ｌとが交互に配されている方向と平行である。つまり、第２表仮想線は第１表仮想線や仮想線Ｘ１と平行な線である。
したがって、第１表延伸部分２２１と第２表延伸部分２２２は、平行であり、仮想線Ｘ１と直交する方向に間隔をおいて設けられている。
【００４２】
表側補強部２２は、第１表延伸部分２２１と第２表延伸部分２２２との間に配されている導電片１２の表面に形成され且つ第１表仮想線と第２表仮想線とに交差する第３表仮想線に沿って延伸する第３表延伸部分２２３を有している。
ここでの第３表延伸部分２２３は、第１表延伸部分２２１と第２表延伸部分２２２とに直交する方向に延伸する。第３表仮想線は第１表仮想線及び第２表仮想線と直交する。つまり、第３表仮想線は仮想線Ｘ１と直交する線である。第３表延伸部分２２３は、第１表延伸部分２２１及び第２表延伸部分２２２の延伸方向に間隔を置いて１個又は複数個設けられている。
【００４３】
表側補強部２２は、全体として梯子状をし、その長手方向が仮想線Ｘ１と平行となる状態で、設けられている。なお、表側補強部２２における配線体１１の周縁近傍の第３表延伸部分２２３ａは周縁形状に沿って設けられている。
表側補強部２２は、第１表延伸部分２２１と第２表延伸部分２２２と仮想線Ｘ１の延伸方向に隣接する一対の第３表延伸部分２２３とで形成されている「ロ」字状部分が２個以上の導電片１２の表面に跨るように、設けられている。これにより、表側補強部２２に作用する負荷を少なくできる。
【００４４】
（１−３−３）裏側補強部
主に図７の（ｂ）を用いて説明する。
裏側補強部２３は介在補強部２１と連結するように設けられている。
裏側補強部２３は、配線体１１の第１裏仮想線上に位置する１個以上の導電片１２からなる第１導電片群の裏面に形成され且つ第１裏仮想線に沿って延伸する第１裏延伸部分２３１を有している。ここでの第１裏仮想線は、昼白色ＬＥＤ１５ｄと電球色ＬＥＤ１５ｌとが交互に配されている方向と平行である。つまり、第１裏仮想線は仮想線Ｘ１と平行な方向な線である。なお、第１裏仮想線は第１方向とも平行な線である。
裏側補強部２３は、配線体１１の第２裏仮想線上に位置する１個以上の導電片１２からなる第２導電片群の裏面に形成され且つ第２裏仮想線に沿って延伸する第２裏延伸部分２３２を有している。ここでの第２裏仮想線は、昼白色ＬＥＤ１５ｄと電球色ＬＥＤ１５ｌとが交互に配されている方向と平行である。つまり、第２裏仮想線は第１裏仮想線や仮想線Ｘ１と平行な線である。
【００４５】
裏側補強部２３は、第１裏延伸部分２３１と第２裏延伸部分２３２との間に配されている導電片１２の裏面に形成され且つ第１裏仮想線と第２裏仮想線とに交差する第３裏仮想線に沿って延伸する第３裏延伸部分２３３を有している。
第３裏延伸部分２３３は、第１裏延伸部分２３１と第２裏延伸部分２３２とに直交する方向に延伸する。第３裏仮想線は第１裏仮想線及び第２裏仮想線と直交する。つまり、第３裏仮想線は仮想線Ｘ１と直交する仮想線Ｘ２と平行な線である。第３裏延伸部分２３３は、第１裏延伸部分２３１及び第２裏延伸部分２３２の延伸方向に間隔を置いて１個又は複数個設けられている。
【００４６】
裏側補強部２３は、全体として梯子状をし、その長手方向が仮想線Ｘ１と平行となる状態で、設けられている。なお、裏側補強部２３における配線体１１の周縁近傍の第３裏延伸部分２３３ａは周縁形状に沿って設けられている。
裏側補強部２３は、第１裏延伸部分２３１と第２裏延伸部分２３２と仮想線Ｘ１の延伸方向に隣接する一対の第３裏延伸部分２３３とで形成されている「ロ」字状部分が２個以上の導電片１２の裏面に跨るように、設けられている。これにより、裏側補強部２３に作用する負荷を少なくできる。
【００４７】
裏側補強部２３は、第１裏延伸部分２３１と第２裏延伸部分２３２との間であって第３裏延伸部分２３３が形成されていない導電片１２の裏面に形成され且つ第１裏仮想線と第２裏仮想線とに交差する第４裏仮想線に沿って延伸する第４裏延伸部分２３４を有している。
第４裏延伸部分２３４は、第１裏延伸部分２３１と第２裏延伸部分２３２とに直交する方向に延伸する。つまり、第４裏仮想線は仮想線Ｘ１と直交する線である。第４裏延伸部分２３４は、第１裏延伸部分２３１及び第２裏延伸部分２３２の延伸方向に間隔を置いて１個又は複数個設けられている。これにより、隣接する導電片１２をより強固に補強できる。
第４裏延伸部分２３４は、昼白色ＬＥＤ１５ｄや電球色ＬＥＤ１５ｌの実装位置の近傍の導電片の裏面に設けられている。これにより昼白色ＬＥＤ１５ｄや電球色ＬＥＤ１５ｌの実装位置周辺が補強され、ＬＥＤ１５が導電片１２から外れるのを防止できる。
【００４８】
表側補強部２２における第１表延伸部分２２１と第２表延伸部分２２２と第３表延伸部分２２３は、裏側補強部２３の第１裏延伸部分２３１と第２裏延伸部分２３２と第３裏延伸部分２３３の表側に位置する。
つまり、配線体１１を透視すると、第１表延伸部分２２１と第１裏延伸部分２３１とが、第２表延伸部分２２２と第２裏延伸部分２３２とが、第３表延伸部分２２３と第３裏延伸部分２３３とが、それぞれ同じ位置にある。
これにより、表側補強部２２と裏側補強部２３と介在補強部２１とが連結されることにより、補強力を高めることができる。
【００４９】
配線体１１は、図７の（ａ）に示すように、第１表延伸部分２２１と第２表延伸部分２２２と第３表延伸部分２２３とで囲まれた閉領域である「ロ」字状部分内に貫通孔１１９を有している。これにより、光源モジュール１の軽量化を図るとともに、配線体１１を作成時に導電片１２が、分離しないように仮固定することができる。なお上記の「ロ」字状部分は、裏側補強部２３における第１裏延伸部分２３１と第２裏延伸部分２３２と第３裏延伸部分２３３とで囲まれた「ロ」字状部分についても同様である。
なお、貫通孔１１９は、隣接する導電片１２間にあり、換言すると、介在補強部２１が充填されていない部分である。
【００５０】
（２）器具本体
まず、図２及び図３を用いて説明する。
器具本体３は、主に、光源モジュール１を表面に搭載する機能を有する。器具本体３は電源ユニット５を裏面に搭載する機能を有する。器具本体３は保護カバー９を搭載（固定）する機能を有する。器具本体３は、保護カバー９を介して透光性カバー７を支持する機能を有する。
【００５１】
以下、主に、図９及び図１０を用いて説明する。
器具本体３の外観形状は、表裏側から見ると、光源モジュール１の外周形状と同じ形状をしている。つまり、ここでの器具本体３の外観形状は、光源モジュール１と同様の円形状をしている。なお、器具本体の外観形状は、光源モジュールの外観形状と異なる他の形状として、設けてもよい。
器具本体３は、中央に開口３１を有している。なお、場合によっては開口を有しない構成とすることもできる。
器具本体３は絶縁性材料により構成されている。絶縁性材料の一例が樹脂であり、樹脂の一例として、ポリプロピレン（ＰＰ）が利用されている。これにより、導電片１２を利用した光源モジュール１を器具本体３に搭載しても、絶縁シート等の絶縁対策が不要となり、軽量化、コストダウンを図ることができる。
【００５２】
（２−１）平板部
器具本体３は被設置面と略平行な平板部３２を有する。平板部３２の中央部には円形状の開口３１が設けられている。器具本体３は、その開口３１と光源モジュール１の開口１ａ（図２及び図３参照）とが一致する状態で、光源モジュール１を搭載する。この際、平板部３２の表面は光源モジュール１の裏側補強部２３（図７の（ｂ）参照）に当接する。なお、光源モジュール１の固定には、保護カバー９を器具本体３に固定するための固定具として兼用する。ここで固定具としての保護カバー９は、図２及び図３に示すねじ８３により、器具本体３と固定される。なお、器具本体３と光源モジュール１の固定に、器具本体３に樹脂の突部を設けて、その樹脂を溶着することにより固定してもよい。
【００５３】
器具本体３は平板部３２から裏側に凹入する凹部３３を有している。凹部３３は器具本体３を補強する機能を有する。これにより、器具本体３を絶縁性の樹脂により構成できる。凹部３３は、図９に示すように、開口３１の中央を中心とする仮想円上に設けられ且つ仮想円に沿って周方向に延伸する凹部３３１，３３２を含む。ここでは仮想円は２個ある。これらは同心円であり、内側の同心円上にある凹部を内側凹部３３１とし、外側の同心円上にある凹部を外側凹部３３２とする。
凹部３３には、内側凹部３３１と外側凹部３３２とを径方向に連結する連結凹部３３３を含んでもよい。
【００５４】
器具本体３は、図１０に示すように、平板部３２から表側に突出する凸部３４を有している。凸部３４は、光源モジュール１を平板部３２に配置した際に、３つの配線体１１Ａ，１１Ｂ，１１Ｃの周縁部を裏側から支持するように突出する第１凸部３４１と、各配線体１１Ａ，１１Ｂ，１１Ｃの周縁の端面に当接する又は対向するように突出する第２凸部３４２とを有する。
第２凸部３４２は第１凸部３４１から表側にさらに突出する。これにより、３つの配線体１１Ａ，１１Ｂ，１１Ｃは、第１凸部３４１により支持され、第２凸部３４２により光源モジュール１の外周が位置決めされる。
【００５５】
器具本体３は、図９の（ａ）及び図１０に示すように、配線体搭載領域３２Ａ，３２Ｂ，３２Ｃから表側に延伸するピン３３５を複数本有する。ピン３３５は、図７に示すように、配線体１１の貫通孔１１９を挿通する。これにより、光源モジュール１（配線体１１）の位置決めが行われる。
第１凸部３４１は、配線体１１の外周縁部に沿って設けられた第１外周方向凸部３４３と、配線体１１の内周縁部に沿って設けられた第１内周方向凸部３４４と、第１外周方向凸部３４３と第１内周方向凸部３４４とを径方向に連結するように設けられた第１径方向凸部３４５とを有する。
第２凸部３４２は、配線体１１の外周縁に沿って設けられた第２外周方向凸部３４６と、配線体１１の内周縁に沿って設けられた第２内周方向凸部３４７と、第２外周方向凸部３４６と第２内周方向凸部３４７と間を径方向に延伸する第２径方向凸部３４８とを有する。
【００５６】
第１凸部３４１の平板部３２からの突出量は、第１凸部３４１に光源モジュール１の配線体１１の周縁部が当接した際に配線体１１の裏側補強部２３が平板部３２に当接又は近接するように、構成されている。なお、裏側補強部２３における端部の第３裏延伸部分２３３ａ（図７の（ｂ）参照）は、平板部３２と第１凸部３４１との間に存在する段差部分に近接又は当接するように設けられている。これにより、配線体１１が器具本体３に対して位置決めされる。
【００５７】
第１径方向凸部３４５及び第２径方向凸部３４８は、配線体１１の個数に対応して周方向に等角度をおいて複数本ある。ここでは、第１径方向凸部３４５及び第２径方向凸部３４８は、図９の（ａ）に示すように、３つの配線体１１Ａ，１１Ｂ，１１Ｃに対応して１２０［°］の角度をおいて３本ある。
なお、第２外周方向凸部３４６、第２内周方向凸部３４７及び第２径方向凸部３４８で囲まれた１／３円環形状の領域を、搭載する配線体１１Ａ，１１Ｂ，１１Ｃのアルファベットを使って、配線体搭載領域３２Ａ，３２Ｂ，３２Ｃとする（図９の（ａ）参照）。
【００５８】
器具本体３は、図９に示すように、平板部３２における凹部３３が形成されていない領域に電源ユニット５を搭載するユニット搭載部３２ａを有する。器具本体３のユニット搭載部３２ａは貫通孔３２ｂを有している。貫通孔３２ｂは、電源ユニット５と光源モジュール１とを電気的に接続したり、電源ユニット５に設けられた常夜灯部５５６の光を表側に出射させたり、リモコン信号用の受信部５５５が信号の送受信を行ったりするものである。なお、貫通孔３２ｂは、接続機能、出射機能、送受信機能を別個に行うように複数個設けてもよい。
【００５９】
ここでユニット搭載部３２ａ、凸部３４、凹部３３との位置関係について説明する。
外側凹部３３２は、隣接する配線体搭載領域３２Ａ，３２Ｂ，３２Ｃに跨らず、各配線体搭載領域３２Ａ，３２Ｂ，３２Ｃ内に存在する。外側凹部３３２は、ユニット搭載部３２ａが存在する配線体搭載領域３２Ａにおいて、ユニット搭載部３２ａの周方向の両側に離間して存在する。つまり、器具本体３を表側から見ると、外側凹部３３２は、図９の（ｂ）に示すように、配線体搭載領域３２Ｂ，３２Ｃでは１本の円弧状をし、配線体搭載領域３２Ａではユニット搭載部３２ａを挟んで２本あり、それぞれ円弧状をしている。
内側凹部３３１は、隣接する配線体搭載領域３２Ａ，３２Ｂ，３２Ｃに跨って存在し、配線体搭載領域３２Ａにおいてユニット搭載部３２ａで不連続となっている。つまり、器具本体３を表側から見ると、内側凹部３３１は、図９の（ｂ）に示すように、配線体搭載領域３２Ａのユニット搭載部３２ａを除いた「Ｃ」字状をしている。なお、円弧状は「Ｃ」字状に含まれる。
【００６０】
内側凹部３３１と外側凹部３３２は、１／３円環形状の各配線体搭載領域３２Ａ，３２Ｂ，３２Ｃにおける周方向の中央を通り且つ径方向に延伸する仮想線Ｘ１において線対称となっている。なお、この仮想線は、１／３円環形状の配線体１１における仮想線Ｘ１に対応している。
【００６１】
器具本体３は、図９の（ｂ）に示すように、照明装置Ａを被設置面に取り付けた際に装置のガタツキを無くするための弾性体４（図１及び図３参照）を装着するための弾性体装着部３６を有している。弾性体装着部３６は凹部３３を利用して設けられている。弾性体装着部３６は内側凹部３３１から裏側にさらに凹入する凹部の裏面により構成されている。弾性体装着部３６は、配線体搭載領域３２Ｂ，３２Ｃの連結凹部３３３との連結部分に存在する。なお、弾性体装着部３６は径方向の幅は内側凹部３３１の幅よりも大きくなっている。
弾性体４は、器具本体３に２個、後述の電源ユニット５に１個それぞれあり、裏側から見ると、器具本体３の開口３１の中央を中心とする円周上であって周方向に等間隔をおいて配されている。ここで、弾性体４が配される円周は開口３１に近い位置にある。これにより、照明装置Ａを設置面に設置しても、使用者から弾性体４が見え難くすることができ意匠的に価値がある。
【００６２】
（２−２）筒部
器具本体３は裏側に筒状に延伸する筒部３７を平板部３２の内周縁に有する。筒部３７は電源ユニット５の有底筒状部５３の筒部分５３１と嵌合（内嵌）する（図１６参照）。筒部３７は、その延伸先端側が開口する欠け部分３７ａを周方向に間隔をおいて設けられている。
欠け部分３７ａには、図１６に示すように、電源ユニット５の係合部５３５と保護カバー９の凸部分９３４とが配され、電源ユニット５の係合部５３５が欠け部分３７ａに係合し、電源ユニット５の開口５３５ａを利用して保護カバー９の凸部分９３４が係合部５３５の凸部分５３５ｂに係合する。これにより、器具本体３、光源モジュール１、電源ユニット５及び保護カバー９とが一体化する（一体的に組み立てられる）。
【００６３】
器具本体３は、図９に示すように、電源ユニット５を固定するための固定部３２ｄを複数個有する。電源ユニット５の固定にはねじ８１（図２及び図３参照）を利用しており、固定部３２ｄはねじ穴により構成されている。なお、ここでの器具本体３は樹脂製であり、ねじ穴はインサートねじにより構成されている。これにより、器具本体３が樹脂で作製されていても電源ユニット５とを確実に固定でき、安全性を向上できる。固定部３２ｄは、貫通孔３２ｂの両側、筒部３７の周囲の合計６箇所ある。
【００６４】
器具本体３は、図９に示すように、保護カバー９を固定するための固定部３２ｅを複数個有する。保護カバー９の固定にはねじ８３（図２及び図３参照）を利用しており、固定部３２ｅはねじ穴により構成されている。ここでの器具本体３は樹脂製であり、ねじ穴はインサートねじにより構成されている。なお、保護カバー９は光源モジュール１を表側から覆うようにして固定される。これにより、器具本体３が樹脂で作製されていても光源モジュール１と保護カバー９とを確実に固定でき、安全性を向上できる。なお、固定部３２ｅは、径方向に延伸する第１径方向凸部３４５と平板部３２の外周縁との交差部分に設けられ、合計で３箇所ある。
【００６５】
（２−３）溝部
器具本体３は平板部３２の外周縁の全周から裏側に凹入する環状の溝部３８を有する。溝部３８には、図１７及び図１９に示すように、保護カバー９の外筒部分９４２や透光性カバー７の段付き溝部７２３の内周壁７２３ａ等が挿入される。
【００６６】
器具本体３は、図９、図１７及び図１９に示すように、溝部３８の外周壁３８ｂの表側端から径方向の外方へ延伸した後に裏側に屈曲するＬ字部３９を有している。Ｌ字部３９は、図１７及び図１９に示すように、透光性カバー７の段付き溝部７２３に嵌る。なお、Ｌ字部３９の裏面には溝部３８の外周壁３８ｂに繋がるリブ部分３９ａを周方向に間隔をおいて複数個有している。
【００６７】
（３）電源ユニット
電源ユニット５は、図５に示すように、器具本体３の凹部３３が存在しないユニット搭載部３２ａ（図９参照）に配されている。なお、電源ユニット５は、器具本体３の開口３１を覆うように搭載される。
以下、主に、図１１及び図１２を用いて説明する。
電源ユニット５は、光源モジュール１に電力を供給するための電力供給機能と、照明装置Ａを被設置面の引掛けシーリング等に取り付けるための取付機能とを一体で有する。
電源ユニット５は、ベース体５０と、ベース体５０に支持される電源回路５５と、電源回路５５を覆う蓋体５６とを備える。なお、ベース体５０と蓋体５６とで電源回路５５を収容する収容部５８が構成される（図５の（ａ）参照）。
【００６８】
（３−１）ベース体
ベース体５０は、板状部分を含み、器具本体３に搭載される。ベース体５０は、板部５１と有底筒状部５３と連結部５４とを一体で有する。ここでのベース体５０は、透明性の樹脂、例えば、自己消火性を有するポリカーボネート（ＰＣ）等が利用されて、安全性も確保できる。
（３−１−１）板部
板部５１は裏側に立設する立設部分５１３を有している。立設部分５１３は、裏側から見ると、図１２に示すように、矩形状の板状部分５１１の長手方向に沿って延伸する一対の長立設領域５１３ａ，５１３ｂと、板状部分５１１の短手方向に沿って延伸する短立設領域５１３ｃ，５１３ｄ，５１３ｅとを有する。
ここで、短立設領域５１３ｃは板状部分５１１の短手方向の全長に亘って設けられ、短立設領域５１３ｄ，５１３ｅは板状部分５１１の短手方向の中央で接続しないように設けられている。つまり、短立設領域５１３ｃは長立設領域５１３ａ，５１３ｂにおける有底筒状部５３と反対側に位置する端同士を連結し、短立設領域５１３ｄは長立設領域５１３ａにおける有底筒状部５３側に位置する端から短手方向に中央手前まで延伸し、短立設領域５１３ｅは長立設領域５１３ｂにおける有底筒状部５３側に位置する端から短手方向の中央手前まで延伸する。
立設部分５１３は蓋体５６の開口側端部と嵌合する。ここでは、長立設領域５１３ａ，５１３ｂ及び短立設領域５１３ｄ，５１３ｅは蓋体５６の外側に位置し、短立設領域５１３ｃは蓋体５６の内側に位置する。
一対の長立設領域５１３ａ，５１３ｂは貫通孔５１３ｆ，５１３ｇ（図１２では現れていない）を有している。貫通孔５１３ｆ，５１３ｇには、蓋体５６の開口側端部の凸部分５６３ｂが係合する。
【００６９】
板部５１は、電源基板５５１に取付けられたモジュール側接続部５５４を通すための貫通孔５１４を有している。なお、モジュール側接続部５５４は電源回路５５の回路と光源モジュール１とを接続する。モジュール側接続部５５４は３個あり、それに合わせて貫通孔５１４も３個ある。
板部５１は、電源基板５５１に取り付けられた常夜灯部５５６（図１１参照）と対向する部位に凹部分５１５を有している。電源ユニット５が器具本体３に搭載されると、凹部分５１５は光源モジュール１の貫通孔３２ｂ（図９の（ａ）参照）から器具本体３の表側に露出するように構成されている。これにより常夜灯部５５６の光が照明装置Ａから出射される。
板部５１は、電源基板５５１に取り付けられた受信部５５５（図１１参照）と対向する部位に凹部分５１６を有している。なお、受信部５５５は図外のリモコンから、点灯、消灯、調光、調色等の照明に関する信号を少なくとも受信する。電源ユニット５が器具本体３に搭載されると、凹部分５１６は光源モジュール１の表面に露出するように構成されている。これにより広い範囲から信号を受信できる。
【００７０】
板部５１は、図１２に示すように、裏側から見たときに矩形枠状に似た形状の立設部分５１３の内側に裏側に延伸する棒状部分５１８を有する。棒状部分５１８は立設部分５１３の４隅に近い部位に設けられている。棒状部分５１８は電源基板５５１の貫通孔５５１ａに挿入される。
板部５１は、図１２に示すように、立設部分５１３の内側から裏側に板状に延伸する板状部分５１９を有している。板状部分５１９は組み込まれた電源基板５５１の外周縁の外側に位置する。なお、板状部分５１９の延伸先端部は、組み込まれた電源基板５５１よりも裏側に位置する。これにより、電源基板５５１が位置決めされる。板状部分５１９は、長立設領域５１３ａ，５１３ｂに沿ってその長手方向に間隔をおいて複数個設けられている。
【００７１】
板部５１は、図１２に示すように、立設部分５１３の内側であって板状部分５１９が存在しない部位に、裏側に延伸して電源基板５５１の裏面に係止する係止片５２１を有する。係止片５２１は、各長立設領域５１３ａ，５１３ｂの長手方向の両端側に存在し、ここでは、合計で４個ある。これにより、電源基板５５１がベース体５０に着脱自在に取り付けられる。なお、係止片５２１はその厚み方向に弾性変形可能である。
板部５１は、図１２に示すように、立設部分５１３の短立設領域５１３ｄ，５１３ｅの内側を板部５１の短手方向に延伸する板状部分５２２を有する。板状部分５２２は、長手方向に沿って設けられた複数の板状部分５１９の内、最も有底筒状部５３に近い板状部分５１９に連続する状態で設けられている。なお、板状部分５２２が延伸している方向の中間部分は、接続ケーブル５９５用に高さが低くなった凹入領域５２２ａとなっている。
【００７２】
板部５１は、図１２に示すように、裏側に突出する凸部分５２３を複数個有する。凸部分５２３は電源基板５５１を板状部分５１１と離間する状態で表から支持する。凸部分５２３は、短立設領域５１３ｃ、板状部分５１９，５２２、係止片５２１の内側に設けられている。
【００７３】
板部５１は、一対の長立設領域５１３ａ，５１３ｂにおける短立設領域５１３ｃ側の端部から半円状に張り出す張出部分５２５を有している。張出部分５２５は表裏に延伸する貫通孔５２５ａを有している。貫通孔５２５ａには蓋体５６の第２の装着部５６５のボス部分５６５ｂが挿入される。
【００７４】
（３−１−２）有底筒状部
有底筒状部５３は筒部分５３１と底部分５３２と外鍔部５３３とを有している。
筒部分５３１は裏側細りの段付き円筒状をしている。有底筒状部５３は裏側に延伸するリブ部分５３４を筒部分５３１の外周に有している。リブ部分５３４は周方向に間隔をおいて４個設けられている。
筒部分５３１は開口側端部に係合部５３５を有している。係合部５３５は、開口５３５ａと、開口５３５ａの周辺から筒軸に向かって突出する凸部分５３５ｂとを有している。なお、凸部分５３５ｂは、筒部分５３１の筒軸側から見ると、裏側が開口する「コ」字状をしている。この形状は器具本体３の欠け部分３７ａ（図９参照）の形状と一致し、当該欠け部分３７ａに凸部分５３５ｂが嵌合する。これにより、電源ユニット５の有底筒状部５３が器具本体３に対して回転規制される。
【００７５】
有底筒状部５３は、図１２に示すように、底部分５３２の凹入部分５３７を利用して、引掛刃５９１やロック機構を備える。引掛刃５９１は取付部材の一例である。
ロック機構は、図１１に示すように凹入部分５３７に設けられた操作ボタン５９３を筒部分５３１の内側から操作すると、図１２に示すように裏側に突出する突出片５９４が没入する。
なお、凹入部分５３７は、照明装置Ａを被設置面の引掛けシーリングに取り付ける際の摘み部として機能する。また、装置装着状態の突出片５９４は引掛けシーリングのロック穴に嵌合している。なお、ベース体５０は、透過性の樹脂で構成されているため、照明装置Ａの引掛刃５９１を引掛けシーリングに取り付ける際に、器具本体３の開口３１を介して引掛刃５９１と被設置面の引掛けシーリングを可視できるため、その取り付けを容易に行うことができる。
【００７６】
有底筒状部５３は、引掛刃５９１と電源回路５５とを接続する接続ケーブル５９５用の溝部分５３８を有している。有底筒状部５３は裏側に突出するボス部分５３９を外鍔部５３３に有している。ボス部分５３９は裏側に延伸する雌ねじ部５３９ａを有する。雌ねじ部５３９ａにはインサートねじにより構成されている。雌ねじ部５３９ａには、電源ユニット５を器具本体３に固定するための固定具の一例であるねじ８１（図２及び図３参照）が螺合する。これにより、器具本体３と電源ユニット５とを確実に固定でき、安全性を向上できる。
【００７７】
（３−１−３）連結部
連結部５４は連結板部分５４１を有している。連結板部分５４１の一端は板部５１の板状部分５１１に連結され、連結板部分５４１の他端は有底筒状部５３の外鍔部５３３に連結されている。
【００７８】
連結部５４は、図１２に示すように、連結板部分５４１の中央部位から裏側に立設する一対の立設部分５４２，５４３を有している。一対の立設部分５４２，５４３は、板部５１の板状部分５２２の中央の凹入領域５２２ａと、有底筒状部５３の溝部分５３８とを連結する。一対の立設部分５４２，５４３の間には接続ケーブル５９５が配される。なお、一対の立設部分５４２，５４３は、裏側から見ると、矩形状の板部５１の長手方向に沿って設けられている。
【００７９】
連結部５４は、図１２に示すように、一対の立設部分５４２，５４３が対向する方向（板部５１短手方向である）であって一対の立設部分５４２，５４３の外側に係止部分５４４，５４５を有する。係止部分５４４，５４５は、対向する状態で裏側に延伸し、対向する部位に対手側に向かって突出する凸領域５４４ａ，５４５ａを有する。なお、凸領域５４４ａは係止部分５４４の影で図１２には現れていない。係止部分５４４，５４５の凸領域５４４ａ，５４５ａは、蓋体５６の張出部５６７の凸領域５６７ｄに係合する。
【００８０】
（３−２）電源回路
電源回路５５はＬＥＤ１５に電力を供給する機能を有する。ここでの電源回路５５は、リモコンから送信される信号に基づいてＬＥＤ１５の点灯を制御する機能を有する。ここでの電源回路５５はリモコンからの信号を受信する受信部５５５に電力を供給する機能を有する。ここでの電源回路５５は、常夜灯部５５６に電力を供給する機能を有する。
電源回路５５は、電源基板５５１と、電源基板５５１に実装された複数個の電子部品５５２と、電源基板５５１に設けられたケーブル側接続部５５３と、電源基板５５１に設けられたモジュール側接続部５５４とを備える。なお、複数個の電子部品５５２は、図１２では、１つのブロックとして表し、上記機能を発揮するように回路構成されている。
電源基板５５１は矩形状をしている。電源基板５５１は４隅に貫通孔５５１ａを有している。貫通孔５５１ａにはベース体５０の棒状部分５１８が挿入（嵌合）する。
複数個の電子部品５５２は、例えば、整流回路、平滑回路、昇降圧回路等を構成する。ここでは、複数個の電子部品５５２により、調光回路、調色回路も構成している。
電源ユニット５は、器具本体３の裏側に搭載されるため、スペース的に余裕が生じる。このため、電源基板５５１として片面基板を利用することができ、放熱効率向上とコストダウンを図ることができる。
【００８１】
ケーブル側接続部５５３の一例であるコネクタは、一端が引掛刃５９１に接続された接続ケーブル５９５の他端に設けられたコネクタ５９６と着脱自在に結合される。なお、図１１及び図１２では接続ケーブル５９５は電源基板５５１に接続された状態を表している。
モジュール側接続部５５４の一例である接続ピンは、電源基板５５１の端子に接続するベース端子５５４ａから電源基板５５１を挿通してリードピン部５５４ｂが表側に延出する。
【００８２】
電源ユニット５は、図１１に示すように、電源基板５５１の表面であってモジュール側接続部５５４の近傍に、常夜灯部５５６を備える。ここでの常夜灯部５５６はＳＭＤタイプのＬＥＤにより構成されている。
電源ユニット５は、図１１に示すように、受信部５５５を備える。受信部５５５は、例えば赤外線用であり、受光素子から構成される。
常夜灯部５５６及び受信部５５５は、図１１に示すように、電源基板５５１の短手方向に離間して配された３個のモジュール側接続部５５４の間に配されている。
【００８３】
（３−３）蓋体
蓋体５６は、例えば、難燃性の樹脂により構成されている。樹脂は、例えば、Ｖ−０のガラス入りナイロンや難燃性ポリカーボネート（ＰＣ）等が利用されている。これにより、電源回路５５の発火に対応でき、安全性を向上させることができる。
蓋体５６は、図１１に示すように、表側が開放する直方体状の蓋本体５６１を有する。蓋本体５６１は、図１２に示すように、裏側から見ると矩形状をし、一対の長側板部５６１ａ，５６１ｂと、一対の短側板部５６１ｃ，５６１ｄと、天板部５６１ｅとを有する。
一対の長側板部５６１ａ，５６１ｂは、表裏方向に延伸する貫通孔５６１ｆを長手方向に沿って複数個有する。蓋体５６における有底筒状部５３と反対側の端部は円弧状に湾曲している。天板部５６１ｅにおける有底筒状部５３側の端部が、図１２に示すように、弾性体４を装着するための弾性体装着部分５６１ｇとなっている。
【００８４】
蓋体５６は蓋本体５６１から表側に延伸する延伸部５６２を有する。延伸部５６２は蓋本体５６１の開口側端の略全周から延伸する。延伸部５６２は、図１１に示すように、一対の長側板部５６１ａ，５６１ｂに設けられた長延伸部分５６２ａ，５６２ｂと、一対の短側板部５６１ｃ，５６１ｄに設けられた短延伸部分５６２ｃ，５６２ｄとを有する。長延伸部分５６２ａ，５６２ｂは、蓋本体５６１の長手方向に間隔を置いて複数個（２個）設けられている。
【００８５】
蓋体５６は、蓋本体５６１の各長側板部５６１ａ，５６１ｂであって２個の長延伸部分５６２ａ，５６２ｂの間の部位から表側に延伸する延伸部分５６３ａと、延伸部分５６３ａから外側に突出する凸部分５６３ｂを有する。凸部分５６３ｂはベース体５０の一対の長立設領域５１３ａ，５１３ｂの貫通孔５１３ｆに係合する。つまり、延伸部分５６３ａと凸部分５６３ｂは蓋体５６をベース体５０に装着するための第１の装着部５６３である。
【００８６】
蓋体５６は、蓋本体５６１の一対の長側板部５６１ａ，５６１ｂから蓋本体５６１の短手方向の外方へ板状に張り出す張出部分５６５ａと、張出部分５６５ａから表側に延伸するボス部分５６５ｂと、ボス部分５６５ｂに形成されたねじ孔５６５ｃとを有する。ボス部分５６５ｂはベース体５０の貫通孔５２５ａに嵌合し、ねじ孔５６５ｃには、電源ユニット５を器具本体３に固定するためのねじ８１（図２及び図３参照）が螺合する。つまり、張出部分５６５ａ、ボス部分５６５ｂ及びねじ孔５６５ｃは、蓋体５６をベース体５０に装着するための第２の装着部５６５である。
【００８７】
蓋体５６は短延伸部分５６２ｄから天板部５６１ｅの長手方向に張り出すように張出部５６７を有する。張出部５６７の横断面形状は表側が開口する「コ」字状をし、図１２に示すように、張出部５６７は側板部分５６７ａ，５６７ｂと天板部分５６７ｃとを有する。側板部分５６７ａ，５６７ｂの外面には凸領域５６７ｄが設けられている。凸領域５６７ｄはベース体５０の連結部５４の係止部分５４４の凸領域５４４ａと係合する。つまり蓋体５６の側板部分５６７ａ，５６７ｂの凸領域５６７ｄと連結部５４の係止部分５４４，５４５の凸領域５４４ａ，５４５ａとは、蓋体５６をベース体５０に装着するための第３の装着部である。
天板部分５６７ｃは一対の側板部分５６７ａ，５６７ｂよりも長く張り出し、張り出し先端部が表側に屈曲する屈曲部分５６７ｅとなっている。屈曲部分５６７ｅは、図１２に示すように、ベース体５０の一対の立設部分５４２，５４３間に配されている接続ケーブル５９５を覆う。なお、張出部５６７は、接続ケーブル５９５を保護する保護カバーとしても機能する。
【００８８】
（４）保護カバー
図２及び図３を用いて説明する。
保護カバー９は中央に開口９１を有するドーム状をしている。換言すると、保護カバー９は回転体状をしている。保護カバー９は、回転中心軸から離れた円弧を回転中心軸周りに回転させた回転体状部９２と、回転体状部９２の内周縁から裏側に延伸する内筒部９３と、回転体状部９２の外周縁から裏側に延伸する外筒部９４とを有している。なお、内筒部９３の開口が上記開口９１となる。
保護カバー９は、透光性カバー７を着脱自在に装着する装着部９６を外筒部９４に有する。
【００８９】
（４−１）回転体状部
回転体状部９２は、図２及び図３に示すように、周方向に等角度をおいて裏側に凹入する凹入部分９２１を有している。ここでの凹入部分９２１は３個あり、配線体１１の個数と同じ数である。
以下、図１３から図１５を用いて説明する。
凹入部分９２１の裏側端９２１ａは、図１５に示すように、隣接する配線体１１Ｂ，１１Ｃ間に位置する。凹入部分９２１の裏側端９２１ａは、図１３に示すように、径方向に延伸し、その延伸方向に間隔をおいて裏側に突出する突出板部分９２２を有する。ここでの突出板部分９２２は３個ある。突出板部分９２２は、図１４に示すように、裏側端９２１ａの延伸する仮想線に対して線対称な形状を有している。突出板部分９２２はその突出端の端面の中央に凹み９２２ａを有している。なお、凹み９２２ａには器具本体３の第２径方向凸部３４８が嵌合し、器具本体３に対して光源モジュール１及び保護カバー９が位置決めされる。
突出板部分９２２の突出端は、図１５に示すように、光源モジュール１の配線体１１における周方向の（径方向に延伸する）端縁付近に存在する表側補強部２２の第３表延伸部分２２３ａと当接する。これにより、光源モジュール１が保護カバー９により器具本体３側へと押圧された状態で固定される。
【００９０】
回転体状部９２は、図１３及び図１４に示すように、内周端に裏側に延伸する内筒部分９２３を有している。内筒部分９２３は円筒状をし、その筒軸が開口９１の中心を通る。内筒部分９２３は、凹入部分９２１間の膨出部分９２４に存在し、凹入部分９２１には存在しない。つまり、内筒部分９２３は、周方向に隣接する凹入部分９２１間の膨出部分９２４にあり、図１３に示すように、膨出部分９２４において周方向を凹入部分９２１の裏側端９２１ａに近づくにしたがって高さが低くなる。なお、内筒部分９２３の裏側端面９２３ａと凹入部分９２１の裏側端面（９２１ａ）とは同一面内に含まれる。
【００９１】
回転体状部９２は、図１３及び図１４に示すように、外周端に裏側に延伸する外筒部分９２５を有している。外筒部分９２５は円筒状をし、その筒軸が開口９１の中心を通る。外筒部分９２５は、凹入部分９２１間の膨出部分９２４には存在し、凹入部分９２１には存在しない。つまり、外筒部分９２５は、周方向に隣接する凹入部分９２ａ間の膨出部分９２４にあり、図１３に示すように、膨出部分９２４において周方向を凹入部分９２１の裏側端９２１ａに近づくにしたがって高さが低くなる。なお、外筒部分９２５の裏側端面９２５ａと凹入部分９２１の裏側端面（９２１ａ）とは同一面内に含まれる。つまり、内筒部分９２３の裏側端面９２３ａ、凹入部分９２１の裏側端面（９２１ａ）及び外筒部分９２５の裏側端面９２５ａは同一面内に含まれる。
【００９２】
（４−２）内筒部
主に図１３及び図１４を用いて説明する。
内筒部９３は、回転体状部９２の内筒部分９２３の裏側端から開口９１の内側に延伸する平坦部分９３１と、平坦部分９３１の内周端から裏側に延伸する内筒部分９３２とを有する。
内筒部９３は平坦部分９３１に裏側に突出する突出部分９３３を有する。突出部分９３３は回転体状部９２の内筒部分９２３の外周縁から突出する外突出部分９３３ａと、外突出部分９３３ａの内側から突出する内突出部分９３３ｂとを有する。外突出部分９３３ａと内突出部分９３３ｂは凸条に突出する。内突出部分９３３ｂは外突出部分９３３ａに対して径方向に離間している。外突出部分９３３ａと内突出部分９３３ｂは、裏側から見ると開口９１の中央を中心とする円弧状をしている。突出部分９３３は、外突出部分９３３ａと内突出部分９３３ｂとに跨る平坦突出部分９３３ｃを有している。平坦突出部分９３３ｃは周方向に間隔をおいて複数個存在する。
【００９３】
外突出部分９３３ａ、内突出部分９３３ｂ及び平坦突出部分９３３ｃの裏側端面は同一面内に含まれる。外突出部分９３３ａ、内突出部分９３３ｂ及び平坦突出部分９３３ｃの裏側端面は、光源モジュール１の表側補強部２２と当接する。なお、具体的には、表側補強部２２における配線体１１の内周縁近傍に配されている部分が当接する。この当接は点接触に近い状態で行われ、接触時の応力を分散したり、弾性を持たせたりできる。また、ジャンパ線の位置ずれにも対応できる。
【００９４】
内筒部９３は、図１３に示すように、内筒部分９３２の外周面に凸部分９３４を有している。内筒部９３は、内筒部分９３２における凸部分９３４の両側に溝部分９３５を有する。これにより、凸部分９３４が形成されている部位が内筒部分９３２の厚み方向に弾性変形可能となる。凸部分９３４は周方向に間隔を置いて複数個ある。ここでは凸部分９３４は３個ある。
凸部分９３４は、図１６に示すように、器具本体３の筒部３７の欠け部分３７ａに嵌合する電源ユニット５の有底筒状部５３の係合部５３５に係合する。これにより、保護カバー９、光源モジュール１、器具本体３及び電源ユニット５が一体化される。
なお、凸部分９３４の表側には、図１３に示すように、平坦突出部分９３３ｃが存在する。
【００９５】
（４−３）外筒部
主に図１３及び図１４を用いて説明する。
外筒部９４は、回転体状部９２の外筒部分９２５の裏側端から径方向外方に延伸する平坦部分９４１と、平坦部分９４１の外周端から裏側に延伸する外筒部分９４２とを有する。
外筒部９４は平坦部分９４１に裏側に突出する突出部分９４３を有する。突出部分９４３は回転体状部９２の外筒部分９２５の内周縁から突出する内突出部分９４３ａと、内突出部分９４３ａの外側から突出する外突出部分９４３ｂとを有する。内突出部分９４３ａと外突出部分９４３ｂは凸条に突出する。外突出部分９４３ｂは内突出部分９４３ａに対して径方向に離間している。内突出部分９４３ａと外突出部分９４３ｂは、裏側から見ると開口９１の中央を中心とする円弧状をしている。突出部分９４３は、内突出部分９４３ａと外突出部分９４３ｂとに跨る平坦突出部分９４３ｃを有している。平坦突出部分９４３ｃは周方向に間隔をおいて複数個存在する。
【００９６】
内突出部分９４３ａ、外突出部分９４３ｂ及び平坦突出部分９４３ｃの裏側端面は同一面内に含まれる。内突出部分９４３ａ、外突出部分９４３ｂ及び平坦突出部分９４３ｃの裏側端面は、光源モジュール１の表側補強部２２と当接する。なお、具体的には、表側補強部２２における配線体１１の外周縁近傍に配されている部分が当接する。この当接は点接触に近い状態で行われ、接触時の応力を分散したり、弾性を持たせたりできる。また、ジャンパ線の位置ずれにも対応できる。
なお、回転体状部９２の凹入部分９２１の突出板部分９２２、内筒部９３の突出部分９３３及び外筒部９４の突出部分９４３の裏側端面は同一面内に含まれている。これにより、保護カバー９は光源モジュール１に対して均一な負荷で当接できる。
【００９７】
外筒部９４は、図１４に示すように、平坦部分９４１に設けられたボス部分９４５に貫通孔９４５ａを有する。貫通孔９４５ａには図３に示すようにねじ８３が挿通する。ねじ８３は貫通孔９４５ａを挿通して、器具本体３の平板部３２の固定部３２ｅに螺合する。
これにより、保護カバー９、光源モジュール１及び器具本体３が一体化される。ボス部分９４５は、図１４に示すように、回転体状部９２の凹入部分９２１における裏側端９２１ａの延長上に位置する。図７に示すように、各配線体１１における外周縁であって周方向の端部は、ボス部分９４５用の欠け部１１ａを有する。なお、欠け部１１ａはボス部分９４５に嵌合するため、ボス部分９４５は位置決め機能を有する。
【００９８】
外筒部９４は、図１３に示すように、外筒部分９４２の内周面に凸部分９４６を有している。外筒部９４は、外筒部分９４２における凸部分９４６の両側に溝部分９４７を有する。これにより、凸部分９４６が形成されている部位が外筒部分９４２の厚み方向に弾性変形可能となる。凸部分９４６は周方向に間隔を置いて複数個ある。ここでは凸部分９４６は３個ある。
凸部分９４６は、図１７に示すように、器具本体３の溝部３８の内周部分３８ａの３８ｄに係合する。これにより、保護カバー９が器具本体３に装着される。なお、凸部分９４６の表側には、図１３に示すように、平坦突出部分９４３ｃが存在する。
【００９９】
（４−４）装着部
図１３を用いて説明する。
装着部９６は水平部分９６１と立設部分９６２とを直交する状態で有する。
水平部分９６１は、その厚み方向に弾性変形可能な弾性片部分９６３を有し、図１９に示すように、透光性カバー７の係合凹入部分７３２ａに係合する係合凸部９６４を弾性片部分９６３に有する。
【０１００】
（５）透光性カバー
主に図１８を用いて説明する。
透光性カバー７は、器具本体３側に装着される裏カバー７１と、裏カバー７１に取り付けられる表カバー７５とを有する。裏カバー７１及び表カバー７５は、拡散粒子等を含んだ透光性の樹脂（例えば、ポリプロピレン）により構成された、所謂、乳白色カバーである。
【０１０１】
（５−１）裏カバー
裏カバー７１は、表側拡がりの裏カバー本体７２と、裏カバー本体７２の裏側端部に設けられた器具装着部７３と、裏カバー本体７２の表側端部に設けられた表カバー取付部７４とを有する。
裏カバー本体７２は、表拡がりの筒状部７２１と、筒状部７２１の裏側端に形成された段付き溝部７２３とを有する。段付き溝部７２３は、筒状部７２１の内周側に張り出すように形成され、張り出し方向の途中で表側に凹入する。
【０１０２】
器具装着部７３は、裏カバー本体７２の段付き溝部７２３の内周壁７２３ａに設けられた係止片部分７３２により構成される。
係止片部分７３２は、周方向に間隔を置いて且つ筒軸に向かって張り出し、裏側に凹入する係合凹入部分７３２ａを有している。係合凹入部分７３２ａには、図１９に示すように、器具本体３の溝部３８内で、器具本体３に取り付けられた保護カバー９の弾性片部分９６３の係合凸部９６４が係合する。これにより、裏カバー７１が保護カバー９に取付けられる。なお、係合凹入部分７３２ａと係合凸部９６４の係合は、裏カバー７１（透光性カバー７）の回転により行われる。
【０１０３】
表カバー取付部７４は、裏カバー本体７２における筒状部７２１の表側端の内周面に設けられた凸部７４１と、筒状部７２１の表側端の内側に形成された内側筒部分７４２と、内側筒部分７４２における凸部７４１と対向する部位に設けられた欠け部分７４３とで構成される。
【０１０４】
（５−２）表カバー
表カバー７５は、表側から見たときに円形状で且つ全体としてドーム状をするドーム部７６と、ドーム部７６の開口側に設けられた筒部７７と、筒部７７に設けられた表カバー取付部７８とを有する。表カバー取付部７８は凸部分７８ａにより構成される。
図１９に示すように、表カバー７５の筒部７７が裏カバー７１の裏カバー本体７２（筒状部７２１）と内側筒部分７４２との間に挿入された状態で、凸部分７８ａは裏カバー７１の凸部７４１に係合する。
【０１０５】
３．組み立て
照明装置Ａは、電源ユニット５を組み立てる電源ユニット組立工程と、透光性カバー７を組み立てる透光性カバー組立工程とを行った後に、電源ユニット５を器具本体３に装着する電源ユニット装着工程と、光源モジュール１と保護カバー９とを一緒に器具本体３に装着する保護カバー装着工程と、透光性カバーを保護カバーに装着する透光性カバー装着工程とをこの順で行うことで組み立てられる。
以下特徴的な工程について説明する。
【０１０６】
（１）電源ユニット組立工程
電源ユニット組立工程では、例えば、電源基板５５１のケーブル側接続部５５３と接続ケーブル５９５のコネクタ５９６との接続、常夜灯部５５６や受信部５５５の電源基板５５１への実装、電源基板５５１をベース体５０の立設部分５１３内への配置、蓋体５６のベース体５０への装着は、自動化可能であり、コストダウンを図ることができる。なお、引掛刃５９１の有底筒状部５３への取り付け、ロック機構の取り付け等は手動での作業となる。
【０１０７】
（２）電源ユニット装着工程
電源ユニット装着工程は、電源ユニット５を器具本体３の裏面のユニット搭載部に位置決め配置した後、器具本体３の表側からねじ８１を用いて螺合することで、電源ユニット５を器具本体３に装着できる。このように電源ユニット５の装着を容易に行うことができる。
【０１０８】
（３）保護カバー装着工程
保護カバー装着工程は、電源ユニット装着工程後に器具本体３の表面の配線体搭載領域３２Ａ，３２Ｂ，３２Ｃに配線体１１Ａ，１１Ｂ，１１Ｃを配置した後、器具本体３の固定部３２ｅと保護カバー９の貫通孔９４５ａ、器具本体３の中心側の筒部３７と保護カバー９の内筒部９３とを位置合わせした後、ねじ８３を用いて螺合することで、器具本体３、光源モジュール１及び保護カバー９を一体化できる。電源ユニット５と配線体１１の電気的接続は、電源ユニット５のモジュール側接続部５５４を、配線体１１の接続部１６に挿入することにより行われている。このように、光源モジュール１及び保護カバー９の装着を容易に行うことができる。
さらに、電源ユニット５をユニット化したことで、電源ユニット５、器具本体３、光源モジュール１、保護カバー９、透光性カバー７を一方向に組み立てでき、自動化が可能となる。なお、ここでいう「一方向に組み立てできる」とは、電源ユニット５、器具本体３、光源モジュール１、保護カバー９、透光性カバー７を、姿勢を変えずに、順番に重ねていくことで、組み立てできることをいう。
【０１０９】
（４）搬送について
器具本体３は、例えば、平板部３２の凹部３３、筒部３７及び溝部３８は裏側が細くなるように凹入している。これにより、複数個の器具本体３を重ねことができ、組み立て時の搬送効率を高めることができる。器具本体３は、樹脂により構成されているため、金属製の器具本体よりも軽量化でき、組み立て時の搬送効率を高めることができる。
保護カバー９は、例えば、内筒部９３は裏側が狭まるように筒状に裏側に延伸し、外筒部９４は裏側が広がるように筒状に延伸している。これにより、複数個の保護カバー９を重ねことができ、組み立て時の搬送効率を高めることができる。
透光性カバー７の裏カバー７１は、例えば、表側広がりの裏カバー本体７２を有している。これにより、裏カバー７１を重ねことができ、組み立て時の搬送効率を高めることができる。透光性カバー７の表カバー７５は、例えば、表側に膨れるドーム部７６を有している。これにより、表カバー７５を重ねことができ、組み立て時の搬送効率を高めることができる。
【０１１０】
４．点灯について
（１）光の取出効率
保護カバー９は、透過性の樹脂、例えば、ポリプロピレン（Ｐ．Ｐ）で構成され、表面及び裏面は拡散処理されていない。これにより、光源モジュール１から出射された光が保護カバー９により吸収されたり、反射されたりするのを少なくでき、光の取出効率を向上させることができる。なお、保護カバー９には、光の取出効率がさほど低下しない範囲で、拡散剤を含有してもよい。
透光性カバー７は、その外周縁とＬＥＤ１５の１／２出射角内の領域とが表側から見て重ならないように、構成されている。これにより、ＬＥＤ１５から発せられた多くの光が、反射等をすることなく、透光性カバー７から外部へと出射され、光の取出効率を向上させることができる。
【０１１１】
（２）輝度斑
照明装置Ａは、保護カバー９により覆われた光源モジュール１を点灯させた際に、透光性カバー７（表カバー７５）の全面がきれいに光るように構成されている。ここでいう「きれい」とは、照明装置Ａを表側から見たときに発光中のＬＥＤ１５の存在が分からなく、表カバー７５全体が均一に発光していることをいう。
照明装置Ａは、点灯中において、保護カバー９により覆われた光源モジュール１のＬＥＤ１５の存在が消える（目視できない）ように、透光性カバー７がＬＥＤ１５から離れている。
例としては、表カバー７５とＬＥＤ１５との最小距離が隣接するＬＥＤ１５相互間の距離の約２倍以上に設定されている。なお、この距離は、保護カバー９の材質、表面及び裏面の面状態（凹凸）、拡散粒子等の混合物の有無等、透光性カバーの形状、材質、表面及び裏面の面状態（凹凸）拡散粒子等の混合物の有無等により変化するものであり、適宜設定されるのが好ましい。
なお、表カバー−７５とＬＥＤ１５との最小距離を隣接するＬＥＤ１５相互間の距離の約２倍以上とすると、照明装置Ａが重厚となり、高級感を持たせることができる。
【０１１２】
また、透光性カバー７は、その外周縁とＬＥＤ１５の１／２出射角内の領域とが表側から見て重ならないように、構成されている。これにより、ＬＥＤ１５から発せられた多くの光が、反射等をすることなく、透光性カバー７から外部へと出射され、透光性カバー７の輝度斑を小さくでき、透光性カバー７全体がきれいに光る。
【０１１３】
５．その他
（１）受信部５５５及び常夜灯部５５６は器具本体３の裏側に配される電源ユニット５に設けられている。しかしながら、受信部５５５及び常夜灯部５５６は器具本体３の貫通孔３２ｂ、光源モジュール１の配線体１１の貫通孔１ｂ，１ｃを介して表側に露出している。さらに、保護カバー９と透光性カバー７とをポリプロピレンにより構成し、リモコンの通信に赤外線を使用することで送受信可能となる。
（２）配線体１１は、ジャンパ線等の接続子を利用して所定の導電片１２を接続することで、１本の配線路を構成している。これにより、配線体１１の共通化を図ることができる。
（３）電源ユニット５は、引掛刃５９１と電源回路５５とを一体で有しているため、装置の組立工程を簡略化することできる。
（４）光源モジュール１は表側から保護カバー９に支持されるようにして保護カバー９と共に器具本体３に同時に装着されるため、装置の組立工程を簡略化することができる。
（５）電源ユニット５と光源モジュール１との電気接続は、電源ユニット５のリードピン部５５４ｂが、光源モジュール１の入力端子部１６ｉと出力端子部１６ｏに挿入することで行われるため、装置の組立と電気接続とが容易に行われる。
（６）器具本体３の平板部３２と、光源モジュール１の配線体１１を構成する裏側補強部２３とが当接する構造を採用している。このため、器具本体３の平板部３２と導電片１２との間に隙間が生じ、発光中のＬＥＤ１５の熱を導電片１２から放出できる。
さらに、器具本体３は平板部３２に凹部３３を有しているため、ＬＥＤ１５の熱の放出を促進させることができる。
【０１１４】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していない例や、要旨を逸脱しない範囲の設計変更があっても本発明に含まれる。
【０１１５】
＜変形例＞
１．器具本体
（１）材料
器具本体３は絶縁性材料である樹脂を利用しているが、金属材料等の導電性材料を利用して器具本体を構成してもよい。なお、導電性材料を利用する場合、光源モジュールとの間で、絶縁シートや絶縁膜等の絶縁対策が必要となる。
【０１１６】
（２）形状等
器具本体３は、円環状をし、凹部３３を有している。器具本体３は四角環状等の他の形状であってもよい。また、凹部３３の形状、個数、深さ等は実施形態に限定するものではない。
【０１１７】
（３）配線体搭載領域
配線体搭載領域は第２凸部３４２により構成され、１／３円環状の配線体１１の外周縁に対向するように形成されている。配線体搭載領域において、配線体１１の周縁部に位置する導電片１２が第２凸部３４２により支持され、配線体１１の裏側補強部２３が平板部３２により支持されている。
しかしながら、例えば、平板部で配線体の導電片を支持し、裏側補強部２３に対応して凹部を構成し、当該凹部の底部分で裏側補強部２３を支持するようにしてもよい。
【０１１８】
２．光源モジュール
（１）配線体
光源モジュール１は、３つの配線体１１Ａ，１１Ｂ，１１Ｃを備えているが、１つの配線体を備えてもよい。
配線体１１は、円環状を周方向に１／３分割したような形状をしているが、円環状を径方向に１／３分割したような形状であってもよい。なお、汎用性を考慮すると、複数個の配線体が同じ形状、構造をしている方が好ましい。
実施形態の配線体１１は５つの円弧状部１１４〜１１８を備えているが、配線体で環状の光源モジュールを構成する場合は、円弧状部は奇数個あればよい。これにより、周方向の端縁、つまり、径方向に延伸する端縁で、周方向に隣接する他の配線体と一筆書き状態（電流の流れる状態）で接続できる。なお、円弧状部が奇数個ある場合、接続部は径方向の外周端側であってもよい。
実施形態の配線体１１Ａは、外周縁側であって仮想線Ｘ１の両側に電源ユニット５との入力端子部１６ｉ及び出力端子部１６ｏを有しているが、内周縁側であって仮想線Ｘ１の両側に接続部を有してもよいし、周方向の縁部に接続部を有してもよい。
【０１１９】
（２）導電片
導電片１２におけるＬＥＤ１５を実装する側の面には反射膜が形成されているが、反射膜は、配線体の少なくとも外周部と内周部とに形成されていればよい。つまり、円環状をする光源モジュール１の内周部分と外周部分とが、円環状の保護カバー９の内周部と外周部とに近づき、ＬＥＤ１５の光の一部が保護カバー９で反射するからである。
【０１２０】
（３）補強体
実施形態の補強体１７は、介在補強部２１と表側補強部２２と裏側補強部２３とを有しているが、配線体１１の機械的特性を確保できれば、介在補強部２１と裏側補強部２３のすべてを有する必要はない。
実施形態の補強体１７は、第１延伸部分２２１，２３１と第２延伸部分２２２，２３２と第３延伸部分２２３，２３３を、表側補強部２２と裏側補強部２３として有しているが、少なくとも配線体１１におけるＬＥＤが配される面（導電片１２の表面）に有すればよい（表側補強部２２を有すればよい）。
裏側補強部２３は、第１延伸部分２３１と第２延伸部分２３２と第３延伸部分２３３のすべてを有しているが、すべてを有しなくてもよく、例えば、第１延伸部分２３１を有するようにしてもよい。
実施形態の介在補強部２１は、隣接する導電片１２間であって貫通孔１１９の存在する部分を除いたほとんどの隙間に設けられていたが、一部であってもよい。
実施形態の補強体１７は、表側補強部２２の第１延伸部分２２１と第２延伸部分２２２と第３延伸部分２２３とを、裏側補強部２３の第１延伸部分２３１と第２延伸部分２３２と第３延伸部分２３３と、配線体１１における表裏の同じ位置に有しているが、別の位置に有してもよい。別の位置としては、例えば、表側補強部２２の第１延伸部分２２１と裏側補強部２３の第２延伸部分２３２とが配線体１１における表裏の同じ位置になるような場合である。
【０１２１】
（４）その他
ＬＥＤ１５は、昼白色ＬＥＤ１５ｄと電球色ＬＥＤ１５ｌとの２種類を含んでいたが、１種類のＬＥＤであってもよいし、３種類以上のＬＥＤを含んでもよい。
導電片１２は金属片により構成されているが、例えば、絶縁材料の表面に導電膜を有するようなものであってもよい。
ＬＥＤ１５ｄ，１５ｌは、各配線体１１の周方向の中央を径方向に延伸する仮想線Ｘ１と平行な方向であって、仮想線Ｘ１と平行な方向と仮想線Ｘ１と直交する方向とにＬＥＤ１５ｌ，１５ｄが交互になる状態で配されている。
しかしながら、複数個のＬＥＤ１５は実施形態と異なるルールで配されてもよい。異なるルールとして、例えば、同心円上であって、周方向と径方向とにＬＥＤ１５ｌ，１５ｄが交互になる状態で配されてもよい。
実施形態では、光源素子の一例として、ＬＥＤ素子を備えているが、他の光源素子を備えてもよい。他の光源素子としては、有機ＥＬ素子や、レーザー等がある。
【０１２２】
３．電源ユニット
（１）ベース体
ベース体５０は器具本体３の径方向に長い矩形状をしているが、他の形状であってもよい。他の形状としては、中央に有底筒状部を有する円形状であってもよいし、頂部に有底筒状部を有す三角形状であってもよい。
（２）電源回路
電源回路５５は１枚の電源基板５５１に複数個の電子部品５５２を実装し、さらに、受信部５５５や常夜灯部５５６を有している。しかしながら、電源回路は、複数枚の基板を備え、１の基板にはＬＥＤ１５に電力を供給するための回路用の電子部品が実装され、他の基板には、受信部や常夜灯部が実装されてもよい。
なお、１つに基板に電子部品、受信部、常夜灯部を実装する方が組み立て等を容易に行うことができる。
【０１２３】
（３）蓋体
蓋体５６は、電源回路５５の収容空間と収容部の外部とを連通させる貫通孔５６１ｆを長側板部５６１ａ，５６１ｂに有しているが、貫通孔５６１ｆは、短側板部５６１ｃ，５６１ｄに有してもよいし、天板部に５６１ｅに有してもよいし、これらすべての板部に有してもよい。
貫通孔５６１ｆは、長側板部５６１ａ，５６１ｂを単に貫通する構造であったが、例えば、長側板部、端側板部等の板部において厚み方向に凹入又は凸出し、その側面の少なくとも一方に貫通孔を有する構造であってもよい。
【０１２４】
４．照明装置
実施形態の照明装置は、引掛刃を有する、所謂シーリングライトであったが、他のタイプであってもよい。
つまり、照明装置は、導電片を備える光源モジュールを備えていればよく、光源モジュールと、器具本体と、透光性カバーとを備える照明装置であってもよいし、光源モジュールと、器具本体と、透光性カバーと、電源ユニットとを備える照明装置であってもよい。
また、光源モジュールが長尺状をし、器具本体が設置面に固定されるベースライトであってもよい。器具本体が設置面に埋設されるダウンライトであってもよい。
【符号の説明】
【０１２５】
Ａ    照明装置
１    光源モジュール
１１    配線体
１２    導電片
１３    配線路
１５    ＬＥＤ素子（発光素子）
１７    補強体
２１    介在補強部
２２    表側補強部
２３    裏側補強部
【図１】
2019053879.tif 000003
【図２】
2019053879.tif 000004
【図３】
2019053879.tif 000005
【図４】
2019053879.tif 000006
【図５】
2019053879.tif 000007
【図６】
2019053879.tif 000008
【図７】
2019053879.tif 000009
【図８】
2019053879.tif 000010
【図９】
2019053879.tif 000011
【図１０】
2019053879.tif 000012
【図１１】
2019053879.tif 000013
【図１２】
2019053879.tif 000014
【図１３】
2019053879.tif 000015
【図１４】
2019053879.tif 000016
【図１５】
2019053879.tif 000017
【図１６】
2019053879.tif 000018
【図１７】
2019053879.tif 000019
【図１８】
2019053879.tif 000020
【図１９】
2019053879.tif 000021